(57)【特許請求の範囲】
【請求項１】
所定の木目方向を有すると共に該木目方向に対して略直交する方向に色調の濃淡が繰り返し表現された一種類の木目柄模様を有する化粧シートが長尺状基板に貼着されてなる化粧板であって、
長尺状基板の表面およびその長手方向に延長する長手木口面には、該長手方向に木目方向が合致し且つ長尺状基板の短手方向に色調の濃淡が繰り返されるように前記化粧シートが貼着され、
長尺状基板の短手方向に延長する短手木口面には、前記化粧シートを色調の濃淡が繰り返される方向において短手木口面と略同一の幅および長さにカッ卜して得た木口化粧材が、長尺状基板の表面に貼着された前記化粧シートにおける色調の濃淡の繰り返しに合致するように貼着されることを特徴とする化粧板。
【請求項２】
所定の木目方向を有すると共に該木目方向に対して略直交する方向に色調の濃淡が繰り返し表現された一種類の木目柄模様を有する化粧シートを、長尺状基板の表面およびその長手方向に延長する長手木口面に、該長手方向に木目方向が合致し且つ長尺状基板の短手方向に色調の濃淡が繰り返されるように貼着する第一の工程と、
前記化粧シートを、色調の濃淡が繰り返される方向において、長尺状基板の短手木口面と略同一の幅および該短手木口面の長さより大きい長さにカットして長尺木口化粧材を得る第二の工程と、
第二の工程で得た長尺木口化粧材を、長尺状基板の短手木口面に貼着したときに第一の工程で長尺状基板の表面に貼着された前記化粧シートにおける色調の濃淡の繰り返しに合致する部分を選択して該短手木口面の長さと略同一の長さにカットして木口化粧材を得る第三の工程と、
第三の工程で得た木口化粧材を、第一の工程で長尺状基板の表面に貼着された前記化粧シートにおける色調の濃淡の繰り返しに合致するように長尺状基板の短手木口面に貼着する第四の工程と、を有することを特徴とする化粧板の製造方法。
【発明の詳細な説明】
【技術分野】
【０００１】
本発明は、基板に化粧シートが貼着されてなる化粧板、該化粧板に用いられる木口化粧材および化粧板の製造方法に関する。
【背景技術】
【０００２】
合板、木質繊維板、パーティクルボード、無垢材などの基板に、紙や合成樹脂シートなどの基材シートの表面に木目模様が印刷された化粧シートが貼着されてなる化粧板は、様々な建材や家具材などに広く用いられている。
【０００３】
このような化粧板の製造は、主としてラッピング装置を用い、所定の形状および寸法にカットした基板をラッピング装置の搬送装置に、その長手方向側端が搬送方向と平行になるように置いて行われる。基板が搬送されるにつれて、化粧シートを巻いたロールから化粧シートが送り出され、接着剤が塗布された後、基板表面に重ねられる。送り出された化粧シートは、基板の長さ寸法に合わせて切断され、ロールから切り離される。化粧シートが重ねられた基板に対して、表面からは加圧ローラで、長手方向に沿う木口面および裏面にはピンチローラで、それぞれ押圧して、基板表面および長手方向木口面の全面を被覆し且つ裏面の一部にまで回り込むように、化粧シートが貼着される。また、特許文献１に記載されるように、ラッピング装置を使用せずに化粧シートを貼着する簡易な方法も実施されている。
【０００４】
このようなラッピング方法によると、搬送方向に直交する方向に沿う木口面(搬送方向前方および後方の木口面)には化粧シートが貼着されず、該木口面がそのまま露出した状態で残されることになる。化粧板の施工状態において該木口面が壁面や他部材などに隠蔽されて外部に露出しない場合はこのままで問題ないが、施工状態において該木口面が外部に露出して観察される場合は、該木口面にも化粧シートを貼着して化粧を施す必要がある。
【０００５】
たとえば、図１に示す階段１に用いられる側板（側桁）２は概して長尺の板材であるが、その長手方向に延長する木口（長手木口）３が階段１の傾斜角度に沿って施工されるのに対して、上木口４は上階や廻り部の床面に対して略面一  （水平）になるように施工され、下木口５は床面に対して略垂直に立ち上がる。これら上下木口４，５は長手木口３に対してー定の角度をなしていて、上記ラッピング方法では化粧シートを貼着することができないが、これらの木口４，５は、階段１の施工状態において外部から観察される位置にあるので、これら木口４，５にも化粧材を貼着して化粧を施す必要がある。
【０００６】
この場合、従来は、既述したようにして側板２の表面（階段１の内面７）から長手木口３を経て裏面（階段１の側面６）の一部に化粧シートを回り込ませるように貼着した後、この時点では化粧シートが貼着されずに基材が露出している上下木口４，５にそれぞれ別に用意した木口化粧材８，９を貼着して化粧を施していた。
【先行技術文献】
【特許文献】
【０００７】
【特許文献１】特開２００２−１０３４９１号公報
【発明の概要】
【発明が解決しようとする課題】
【０００８】
近年、化粧シート貼り化粧板における木質感をさらに高めるために、木目模様だけでなく、天然木が持つ色調の濃淡や節、入り皮、照りなどをも表現した化粧シートを用いることが行われるようになってきている。特にオーク、ウォルナット、タモなどの天然木は色調の濃淡が鮮明に表れるので、これらの木質感を表現するためには色調の濃淡を含む木目柄模様が印刷された化粧シートを用いることが好ましい。木材の材色は幹の成長速度が季節によって異なることで変化するので、木目の繊維方向に略直交した方向において色調の濃淡が繰り返されることになる。
【０００９】
従来は、このように色調の濃淡を含む木目柄模様を有する化粧シートが貼着された化粧板を階段１の側板２などに使用する場合、化粧シートが貼着されずに基材が露出したままになっている上下木口４，５を、長手木口３および側面６に貼着されている化粧シートの木目柄模様における色調の濃淡と違和感のないように木口化粧材８，９を貼着することができなかった。
【００１０】
よって、本発明が解決しようとする課題は、色調の濃淡を含む木目柄模様を有する化粧シートを基板に貼着してなる化粧板において、化粧シートが貼着されずに基材が露出したままになっている木口面に、既に基板表面および長手方向木口面に貼着されている化粧シートの木目柄模様における色調の濃淡と違和感のないように木口化粧材を貼着するための新規の技術を提案することである。
【課題を解決するための手段】
【００１１】
この課題を解決するため、本願の請求項１に係る発明は、所定の木目方向を有すると共に該木目方向に対して略直交する方向に色調の濃淡が繰り返し表現されたー種類の木目柄模様を有する化粧シートが長尺状基板に貼着されてなる化粧板であって、長尺状基板の表面およびその長手方向に延長する長手木口面には、該長手方向に木目方向が合致し且つ長尺状基板の短手方向に色調の濃淡が繰り返されるように前記化粧シートが貼着され、長尺状基板の短手方向に延長する短手木口面には、前記化粧シートを色調の濃淡が繰り返される方向において短手木口面と略同一の幅および長さにカッ卜して得た木口化粧材が、長尺状基板の表面に貼着された前記化粧シートにおける色調の濃淡の繰り返しに合致するように貼着される
ことを特徴とする。
【００１３】
本願の請求項２に係る発明は、所定の木目方向を有すると共に該木目方向に対して略直交する方向に色調の濃淡が繰り返し表現された一種類の木目柄模様を有する化粧シートを、長尺状基板の表面およびその長手方向に延長する長手木口面に、該長手方向に木目方向が合致し且つ長尺状基板の短手方向に色調の濃淡が繰り返されるように貼着する第一の工程と、前記化粧シートを、色調の濃淡が繰り返される方向において、長尺状基板の短手木口面と略同一の幅および該短手木口面の長さより大きい長さにカットして長尺木口化粧材を得る第二の工程と、第二の工程で得た長尺木口化粧材を、長尺状基板の短手木口面に貼着したときに第一の工程で長尺状基板の表面に貼着された前記化粧シートにおける色調の濃淡の繰り返しに合致する部分を選択して該短手木口面の長さと略同一の長さにカットして木口化粧材を得る第三の工程と、第三の工程で得た木口化粧材を、第一の工程で長尺状基板の表面に貼着された前記化粧シートにおける色調の濃淡の繰り返しに合致するように長尺状基板の短手木口面に貼着する第四の工程と、を有することを特徴とする化粧板の製造方法である。
【００１４】
(削除)
【発明の効果】
【００１５】
本発明によれば、基板の表面および長手木口面には、通常のラッピング方法により、長手方向に木目方向が略合致するように化粧シートが貼着され、このラッピング方法では化粧シートが貼着されずに基材が露出した状態になっている短手木口面には木口化粧材が貼着されるので、表面および各木口面に対して好適に化粧が施された化粧板となる。
【００１６】
短手木口面に貼着される木口化粧材は、基板の表面および長手木口面に貼着される化粧シートを所定の幅および長さにカットして得られるので、別の化粧シートを用意する必要がない。しかも、このようにして得た木口化粧材は、その長さ方向に化粧シートの色調の濃淡が繰り返されたものとなるので、これを、基板の表面に貼着された化粧シートの色調の濃淡の繰り返しに合致する位置で短手木口面に貼着することにより、色調の濃淡が基板の表面から短手木口面へと実質的に連続して観察され、天然木であるかのような自然で違和感のない外観を与えることができる。
【００１７】
本発明による化粧板は、既述した階段の側板だけでなく、カウンター、膳板（窓の下枠に室内側に突出するように取り付けられる化粧材）、ドアなど広く建材に適用することができる。
【図面の簡単な説明】
【００１８】
【図１】階段構造のー例を示す斜視図である。この図において化粧シートは図示省略されている。
【図２】この階段構造の側板基板（化粧シート貼着前）の平面図（ａ）およびＡ−Ａ断面図（ｂ）である。
【図３】本発明の化粧板に用いる化粧シートの柄模様のー例を示す平面図である。
【図４】図２の階段側板基板に図３の化粧シートを貼着した状態を示す平面図  （ａ）およびＢ−Ｂ断面図（ｂ）である。
【図５】木口化粧材を図４の階段側板の化粧シート非貼着部分（上下木口）に貼着する工程を説明する図であり、（ａ）は図３の化粧シートを所定幅および所定長さにカットして得た木口化粧材を示す平面図、（ｂ）はこれをカットして得た上木口用の木口化粧材および下木口用の木口化粧材を示す平面図、（ｃ）は基板に図３の化粧シートを貼着した状態の階段側板の部分斜視図、（ｄ）はその化粧シート非貼着木口（下木口）に該化粧シートをカットして得た木口化粧材を貼着して完成させた状態の階段側板の部分斜視図である。
【図６】本発明による化粧板をカウンターに適用した実施例を示し、（ａ）は基板に図３の化粧シートを貼着した状態の部分斜視図、（ｂ）はその化粧シート非貼着木口に該化粧シートをカットして得た木口化粧材を貼着して完成させた状態の部分斜視図である。
【図７】本発明による化粧板を膳板に適用した実施例を示し、（ａ）はその施工状態正面図、（ｂ）は基板に図３の化粧シートを貼着した状態の部分斜視図  （ｃ）はその化粧シート非貼着木口に該化粧シートをカットして得た木口化粧材を貼着して完成させた状態の部分斜視図である。
【図８】本発明による化粧板をドアに適用した実施例を示し、（ａ）は基板に図３の化粧シートを貼着した状態の斜視図、（ｂ）はその化粧シート非貼着木口に該化粧シートをカットして得た木口化粧材を貼着して完成させた状態の斜視図である。
【発明を実施するための最良の形態】
【００１９】
本発明について実施例を挙げて詳細に説明する。
【実施例１】
【００２０】
この実施例は、図１に示す階段構造１における側板２として本発明を適用したものであり、基材（図２）の表面（階段内面７）から長手方向に延長する木口３（施工状態において上方および下方に位置するー対の長手木口３，３）を被覆し且つ裏面側（階段側面６）の一部まで回り込むように化粧シート１０（図３）を貼着し、且つ、上下木口４，５にはそれぞれ木口化粧材８，９を貼着してなる階段側板２（図４）である。
【００２１】
化粧シート１０は、紙や合成樹脂シートなどの基材シートの表面に色調の濃淡を含む木目柄模様が印刷形成されたものであり、図３に詳細に示されるように略Ｘ方向に延長する木目を有すると共にＹ方向に色調の濃淡が繰り返された木目柄模様として表現されている。図中、符号１０ａが色の濃い部分を示し、符号１０ｂが色の薄い部分を示す。この図では、木目がＸ方向に延長する平行線として示されているが、天然材の木目に近似させるために曲線状、蛇行状、湾曲状などに表現されたものであっても良い。また、この図では、木目の粗密がー定のピッチＰで規則的に繰り返されているが、必ずしもこのように規則的に繰り返すものでなくても良く、Ｘ方向において異なるピッチＰで木目の粗密が繰り返されたものや、Ｘ方向における木目の粗密が微妙に異なりながらー定またはランダムなピッチＰで繰り返されたものであっても良い。また、木目の粗密とは別に、基材シートの表面に色調の濃淡を表現する塗装を施すことによって色調の濃淡１０ａ，１０ｂが繰り返されるものであっても良い。すなわち、図３に示す化粧シート１０の木目柄模様は図示および説明の便宜のために簡略化したものであり、略所定の方向Ｘに延長する木目を有すると共に、この木目方向Ｘに略直交する方向Ｙに色調の濃淡１０ａ，１０ｂが繰り返し表現された木目柄模様が塗装などにより形成されたものであれば、広く本発明において化粧シート１０として使用可能である。
【００２２】
この化粧シート１０を、合板、木質繊維板、パーティクルボード、無垢材などの基板１１（図２，図４）の表面１１ａから長手木口１１ｂ，１１ｂを経て裏面１１ｃの一部に回り込ませるように貼着する（図４（ｂ））。これは、従来技術に関連して既述した公知のラッピング装置を用いて行うことができる。このとき、基板１１の長手方向が化粧シート１０の木目方向Ｘに略合致するように、化粧シート１０を貼着する。
【００２３】
化粧シート１０が貼着された時点では、階段側板２の上下木口４，５となる木口面は基材１１が露出したままの状態となっているので、これらの木口面にそれぞれ木口化粧材８，９を貼着するが、これらの木口化粧材には、図３に点線で示すようにして化粧シート１０をカットして得た木口化粧材１２を用いる。
【００２４】
より詳しくは、図３と共に図５を参照して、木口化粧材１２は、化粧シート１０を、色調の濃淡１０ａ，１０ｂが繰り返される方向Ｙにおいて、上下木口４，５の幅に対応する幅Ｗおよび上下木口４，５の長さＬ１，Ｌ２の合計以上の長さＬにカットして得たものであり（図５（ａ））、その後、この木口化粧材１２を上木口４の長さＬ１にカットして上木口４用の木口化粧材８とし、さらに下木口５の長さＬ２にカットして下木口５用の木口化粧材９として（図５（ｂ））、これらを、化粧シート１０が貼着されずに基材１１が露出したままとなっている（図５（ｃ））上下木口４，５にそれぞれ貼着して、階段側板２として用いられる化粧板が得られる（図５（ｄ））。図５（ｃ）および図５（ｄ）には下木口５のみが示されているが、上木口４についても同様に上木口４用の木口化粧材８が貼着されることは言うまでもない。なお、図５（ｂ）中の符号１３は、木口化粧材８，９を得た後の余剰長さ分の化粧材であり、不要であるので廃棄する。
【００２５】
上記したようにして化粧シート１０からカットして得られる木口化粧材１２は化粧シート１０の色調の濃淡１０ａ，１０ｂが長手方向に繰り返されたものとなる（図５（ａ））から、これを所定の長さにカットして得られる上下木口４，５用の木口化粧材８，９においても、色調の濃淡１０ａ，１０ｂが長手方向に繰り返されている（図５（ｂ））。このような木口化粧材８，９を上下木口４，５に貼着するに際しては、図５（ｄ）に示すように、既に基板表面１１ａ（側面６）に貼着されている化粧シート１０における色調の濃淡１０ａ，１０ｂの繰り返しに合致するようにする。これを容易にするために、木口化粧材８，９の長さを上下木口４，５の長さＬ１，Ｌ２に対して十分に余裕のある寸法とし、基板表面１１ａに貼着されている化粧シート１０における色調の濃淡１０ａ，１０ｂに合致するように位置合わせしてカットし、貼着することが好ましい。したがって、化粧シート１０からカットして得る木口化粧材１２の長さは、上下木口４，５の長さ合計Ｌ１＋Ｌ２に対して十分に余裕のある寸法に形成することが好ましい。
【００２６】
なお、以上の説明においては、化粧シート１０からＬ≧（Ｌ１＋Ｌ２）の長さを有する木口化粧材１２をカットした後にさらにこれをカットして木口化粧材８，９に分割して上下木口４，５に貼着するものとしたが、上木口４用にＬ１以上の長さを有する木口化粧材および下木口５用にＬ２以上の長さを有する木口化粧材の計２本の木口化粧材１２を化粧シート１０からカットしてそれぞれ上下木口４，５に貼着するようにしても良い。あるいは、左右一対の階段側板２，２の上下木口４，５に貼着するように２ｘ（Ｌ１＋Ｌ２）以上の長さを有する木口化粧材１２を化粧シート１０からカットして得た後にそれぞれの長さにカットしたり、２ｘＬ１以上の長さを有する木口化粧材１２と２ｘＬ２以上の長さを有する木口化粧材１２とを別々に化粧シート１０からカットして得た後にそれぞれを２分割して、２枚の上木口４用木口化粧材８と２枚の下木口５用木口化粧材９を得るようにしても良い。
【００２７】
このようにして得られる階段側板２は、下木口５について図５（ｄ）に明りょうに示されるように、木口化粧材８，９が、基板表面１１ａ（階段内面７）に貼着された化粧シート１０の色調の濃淡１０ａ，１０ｂの繰り返しに合致する位置で上下木口４，５に貼着されるので、色調の濃淡が階段内面７から上下木口４，５へと実質的に連続して観察される。上下木口４，５に貼着される木口化粧材８，９は、無垢材を繊維方向に対して角度をなす方向に切断したときの切断面と略同様の木目方向および色調の濃淡を表現することになるので、天然木であるかのような自然で違和感のない外観を与える。
【実施例２】
【００２８】
図６は、本発明による化粧板をカウンターに適用した実施形態を示す。この力ウンター１３は、基板１４の表面１４ａから曲面状の前木口１４ｂを被覆するように図３の化粧シート１０を貼着し（図６（ａ））、さらに、その側木口１４ｅに、化粧シート１０の色調の濃淡１０ａ，１０ｂが繰り返される方向において化粧シート１０を所定の幅および長さにカットして得た木口化粧材１５を、基板表面１４ａにおける化粧シート１０の色調の濃淡１０ａ，１０ｂに合致する位置で貼着することにより製造される（図６（ｂ））。化粧シート１０から木口化粧材１５を得る工程や、木口化粧材１５を側木口１４ｃに貼着する際の位置合わせなどについては、本発明を階段側板２に適用した実施例１において既述した要領で略同様にして行うことができるので、説明を割愛する。
【００２９】
なお、カウンター１３の後木口１４ｄは、通常の場合、壁面に突き当てた状態で施工されるので、外部から観察されることはないが、基板表面１４ａとの角部において化粧シート１０が剥がれることを防止するために、図６（ａ）において、化粧シート１０を表面１４ａから後木口１４ｄの一部まで回り込ませて貼着することが好ましい。裏面１４ｃにおいても、外部から観察される部分をカバーするに十分な位置まで化粧シート１０を裏面側に回り込ませて貼着することが好ましい。
【実施例３】
【００３０】
図７は、本発明による化粧板を膳板に適用した実施形態を示す。この膳板１８は、図７（ａ）に示すように、窓１７の開口部の下部サッシから室内側に突出するように取り付けられるものであって、基板１９の表面１９ａから前木口１９ｂを被覆するように図３の化粧シート１０を貼着し（図７（ｂ））、さらに、その両側木口１９ｅに、色調の濃淡１０ａ，１０ｂが繰り返される方向において化粧シート１０を所定の幅および長さにカットして得た木口化粧材２０を、基板表面１９ａにおける化粧シート１０の色調の濃淡１０ａ，１０ｂに合致する位置で貼着することにより製造される（図７（ｃ））。化粧シート１０から木口化粧材２０を得る工程や、木口化粧材２０を側木口１９ｅに貼着する際の位置合わせなどについては、本発明を階段側板２に適用した実施例１において既述した要領で略同様にして行うことができるので、説明を割愛する。
【００３１】
なお、膳板１８の後木口１９ｄは、通常の場合、窓１７の下部サッシの前面に突き当てた状態で施工されるので、外部から観察されることはないが、基板表面１９ａとの角部において化粧シート１０が剥がれることを防止するために、図７（ｂ）において、化粧シート１０を表面１９ａから後木口１９ｄの一部まで回り込ませて貼着することが好ましい。裏面１９ｃにおいても、外部から観察される部分をカバーするに十分な位置まで化粧シート１０を裏面側に回り込ませて貼着することが好ましい。
【実施例４】
【００３２】
図８は、本発明による化粧板をドアに適用した実施形態を示す。このドア２１は、基板２２の表裏面２２ａ，２２ｂおよび縦木口２２ｃ，２２ｄの四周面を完全に包囲するように図３の化粧シート１０を貼着し（図８（ａ））、さらに、その上下木口２２ｅ，２２ｆに、色調の濃淡１０ａ，１０ｂが繰り返される方向において化粧シート１０を所定の幅および長さにカットして得た木口化粧材２３を、基板表裏面２２ａ，２２ｂにおける化粧シート１０の色調の濃淡１０ａ，１０ｂに合致する位置で貼着することにより製造することができる（図８（ｂ））。図中の符号２４は取手を示す。化粧シート１０から木口化粧材２３を得る工程や、木口化粧材２３を上下木口２２ｅ，２２ｆに貼着する際の位置合わせなどについては、本発明を階段側板２に適用した実施例１において既述した要領で略同様にして行うことができるので、説明を割愛する。
【符号の説明】
【００３３】
１  階段
２  側板
３  長手木口
４  上木口
５  下木口
６  側面
７  内面
８  上木口用の木口化粧材
９  下木口用の木口化粧材
１０  色調の濃淡を含む木目柄模様を有する化粧シート
１０ａ  濃い部分
１０ｂ  薄い部分
１１  基板
１１ａ  表面
１１ｂ  長手木口
１１ｃ  裏面
１２  化粧シートをカットして得た木口化粧材
１３  カウンター
１４  基板
１４ａ  表面
１４ｂ  前木口
１４ｃ  裏面
１４ｄ  後木口
１４ｅ  側木口
５  木口化粧材
７  窓
８  膳板
９  基板
１９ａ  表面
１９ｂ  前木口
１９ｃ  裏面
１９ｄ  後木口
１９ｅ  側木口
２０  木口化粧材
２１    ドア
２２  基板
２２ａ，２２ｂ  表面
２２ｃ，２２ｄ  縦木口
２２ｅ，２２ｆ  上下木口
２３  木口化粧材
２４  取手
【図１】
0006590556.tif 000002
【図２】
0006590556.tif 000003
【図３】
0006590556.tif 000004
【図４】
0006590556.tif 000005
【図５】
0006590556.tif 000006
【図６】
0006590556.tif 000007
【図７】
0006590556.tif 000008
【図８】
0006590556.tif 000009